(57)【要約】【課題】自動で設定された復帰時間で、規制モードから待ち受けモードに復帰。【解決手段】時間帯記憶部３１１はユーザーから入力された複数時間帯を設定し、規制モード時間記憶部３１０は設定された複数時間帯の各々毎に、過去に実行された規制と規制からの復帰により得られた規制継続時間（復帰時間）を記憶する。制御部３０４はユーザーからの規制指令で、規制モードの開始時刻を取得し、開始時刻を含む時間帯を特定し、特定された時間帯に応ずる規制継続時間を規制モード時間記憶部３１０から取得し、この規制継続時間の後に、規制モードから待ち受けモードに復帰するよう制御する。規制モードの開始時刻に応じた規制継続時間の後に、規制モードから待ち受けモードに復帰される。また、規制モードの開始時刻が特定された時間帯内で変動しても、常に一定の規制継続時間の後に、規制モードから待ち受けモードに復帰される。【選択図】      図５
2005210597.tif 000002
【特許請求の範囲】
【請求項１】
携帯電話機の規制制御方式であって、
規制状態への移行を開始実行する規制開始実行手段と、
前記規制開始実行手段が、規制状態への移行を開始するとき、その規制開始時刻を取得する手段と、
規制状態から通常待ち受け状態への復帰を実行する規制復帰実行手段と、
前記規制復帰実行手段が規制状態から通常待ち受け状態への復帰を実行するとき、その規制復帰時刻を取得する手段とを備え、
前記規制開始時刻で規制状態への移行を開始し、過去に実行された規制状態から通常待ち受け状態への復帰により取得された規制復帰時刻の経過後に、規制状態から通常待ち受け状態へ復帰する手段を有することを特徴とする携帯電話機の規制制御方式。
【請求項２】
携帯電話機の規制制御方式であって、
規制状態への移行を開始実行する規制開始実行手段と、
前記規制開始実行手段が、規制状態への移行を開始するとき、その規制開始時刻を取得する手段と、
規制状態から通常待ち受け状態への復帰を実行する規制復帰実行手段と、
前記規制復帰実行手段が、規制状態から通常待ち受け状態への復帰を実行するとき、その規制復帰時刻を取得する手段と、
前記規制開始時刻と前記規制復帰時刻とから復帰時間を取得する手段と、
規制状態への移行を開始する規制開始時刻の範囲を示す時間帯を複数設定する時間帯設定手段と、
設定された複数時間帯の各々毎に、各時間帯で過去に実行された規制状態への移行と規制状態からの復帰により得られた復帰時間を記憶する記憶手段とを備え、
規制状態への移行を開始し、その規制開始時刻を取得し、前記時間帯設定手段を参照して、取得された規制開始時刻から時間帯を特定し、前記記憶手段を参照して、特定された時間帯に対応する復帰時間を取得し、取得された復帰時間の経過後に、規制状態から通常待ち受け状態へ復帰する手段を有することを特徴とする携帯電話機の規制制御方式。
【請求項３】
前記規制開始実行手段が実行する規制状態は、発信と着信を規制する発着信規制状態であることを特徴とする請求項１と２のうちのいずれか一項記載の携帯電話機の規制制御方式。
【請求項４】
前記規制開始実行手段が実行する規制状態は、電源のオフ状態であることを特徴とする請求項１と２のうちのいずれか一項記載の携帯電話機の規制制御方式。
【請求項５】
ユーザーからの、規制を開始する規制開始指令を受ける手段を、さらに、備え、前記規制開始実行手段は、前記規制開始指令を受けて、規制状態への移行を開始実行することを特徴とする請求項１と２のうちのいずれか一項記載の携帯電話機の規制制御方式。
【請求項６】
ユーザーからの、複数の時間帯を設定する設定指令を受ける手段を、さらに、備え、前記時間帯設定手段は、前記設定指令を受けて、時間帯を複数設定することを特徴とする請求項２に記載の携帯電話機の規制制御方式。
【発明の詳細な説明】
【技術分野】
【０００１】
本発明は、通常待ち受け状態から、電源オフ状態、もしくは発着信規制状態への遷移後、一定時間後に自動的に通常待ち受け状態に復帰する携帯電話機の規制制御方式に関する。
【背景技術】
【０００２】
従来、自動で電源を切り替える機能を有する携帯電話機がある（例えば、特許文献１）。
【０００３】
図１０に示すように、この従来の携帯電話機６０１は、アンテナ部６０２と、送受信部６０３と、制御部６０４と、音声画像入出力部６０５と、電源回路６０６と、キー入力部６０７と、タイマー６０８とを有して構成される。
【０００４】
アンテナ部６０２は、無線基地局から送信される無線電波を受信する。
【０００５】
送受信部６０３は、アンテナ部６０２で受信した電波信号を制御部６０４へ転送する。
【０００６】
制御部６０４は、アンテナ部６０２からの信号を、音声、もしくは文字や画像に変換し、音声画像入出力部６０５に送る。
【０００７】
音声画像入出力部６０５は、音声、もしくは文字や画像を出力するとともに、ユーザーからの音声を入力して、制御部６０４に送る。
【０００８】
また、制御部６０４は、音声画像入出力部６０５からの音声を所定の信号に変換し送受信部６０３に送る。
【０００９】
また、送受信部６０３は、制御部６０４からの音声信号を電波信号に変換してアンテナ部６０２に送り、アンテナ部６０２は、無線電波を出力する。
【００１０】
キー入力部６０７は、ユーザーからのキー押下により、所定の設定時間と、携帯電話機の電源６０６をオフに切り替えるための指令とを入力するためのものである。
【００１１】
タイマー６０８は、キー入力部６０７から入力された所定の設定時間が経過するとき、携帯電話機６０１の電源をオンに切り替えるためのタイマーである。
【００１２】
このような構成を有する従来の携帯電話機はつぎのように動作する。
【００１３】
ユーザーは、まず、キー入力部６０７を使用して、電源をオフしてから自動的に電源をオンするまでの時間を入力し、そしてさらに、キー入力部６０７を使用して電源をオフするよう操作をする。これにより、制御部６０４は、自動的に電源をオンするまでの時間をタイマー６０８に設定し、さらに、音声画像入出力部６０５から「何分後に電源が入ります」と表示する、そして、電源をオフする。
【００１４】
その後、タイマー６０８に設定された設定時間が経過すると、制御部６０４は、電源をオンにし、通常待ち受けモードに復帰するよう制御する。
【００１５】
【特許文献１】特開２００２−２８１１２２号公報
【発明の開示】
【発明が解決しようとする課題】
【００１６】
従来の携帯電話機は、電源オフから通常待ち受けモードに復帰するまでの時間を、ユーザーが、その都度、設定するよう構成されているので、ユーザーが忘れがちで、しかも複雑な操作を強要するという課題を有する。
【００１７】
本発明の目的は、従来のこの様な課題を解決し、電源オフ状態から、または、発着信規制モードから通常待ち受けモードへ復帰するまでの復帰時間を、携帯電話機の使用環境に応じて、自動で設定する技術と、この自動で設定された復帰時間に基づいて、携帯電話機を電源オフ状態から、または、発着信規制モードから通常待ち受けモードへ自動で復帰する技術を提供することにある。
【課題を解決するための手段】
【００１８】
本発明の携帯電話機の規制制御方式は、規制状態への移行を開始実行する規制開始実行手段と、前記規制開始実行手段が、規制状態への移行を開始するとき、その規制開始時刻を取得する手段と、規制状態から通常待ち受け状態への復帰を実行する規制復帰実行手段と、前記規制復帰実行手段が規制状態から通常待ち受け状態への復帰を実行するとき、その規制復帰時刻を取得する手段とを備え、前記規制開始時刻で規制状態への移行を開始し、過去に実行された規制状態から通常待ち受け状態への復帰により取得された規制復帰時刻の経過後に、規制状態から通常待ち受け状態へ復帰する手段を有することを特徴とする。
【００１９】
また、本発明の携帯電話機の規制制御方式は、規制状態への移行を開始実行する規制開始実行手段と、前記規制開始実行手段が、規制状態への移行を開始するとき、その規制開始時刻を取得する手段と、規制状態から通常待ち受け状態への復帰を実行する規制復帰実行手段と、前記規制復帰実行手段が、規制状態から通常待ち受け状態への復帰を実行するとき、その規制復帰時刻を取得する手段と、前記規制開始時刻と前記規制復帰時刻とから復帰時間を取得する手段と、規制状態への移行を開始する規制開始時刻の範囲を示す時間帯を複数設定する時間帯設定手段と、設定された複数時間帯の各々毎に、各時間帯で過去に実行された規制状態への移行と規制状態からの復帰により得られた復帰時間を記憶する記憶手段とを備え、規制状態への移行を開始し、その規制開始時刻を取得し、前記時間帯設定手段を参照して、取得された規制開始時刻から時間帯を特定し、前記記憶手段を参照して、特定された時間帯に対応する復帰時間を取得し、取得された復帰時間の経過後に、規制状態から通常待ち受け状態へ復帰する手段を有することを特徴とする。
【００２０】
さらに、本発明の携帯電話機の規制制御方式は、前記規制開始実行手段が実行する規制状態は、発信と着信を規制する発着信規制状態であることを特徴とする。
【００２１】
さらに、本発明の携帯電話機の規制制御方式は、前記規制開始実行手段が実行する規制状態は、電源のオフ状態であることを特徴とする。
【００２２】
また、本発明の携帯電話機の規制制御方式は、ユーザーからの、規制を開始する規制開始指令を受ける手段を、さらに、備え、前記規制開始実行手段は、前記規制開始指令を受けて、規制状態への移行を開始実行することを特徴とする。
【００２３】
さらに、本発明の携帯電話機の規制制御方式は、ユーザーからの、複数の時間帯を設定する設定指令を受ける手段を、さらに、備え、前記時間帯設定手段は、前記設定指令を受けて、時間帯を複数設定することを特徴とする。
【発明の効果】
【００２４】
本発明は、過去に実行された規制と規制からの復帰により学習して得られた規制復帰時刻の経過後に、電源オフ状態モードと発着信規制モードを含む規制モードから通常待ち受けモードに復帰するよう構成されているので、ユーザーによる煩わしい操作無しで、自動的に規制モードから通常待ち受けモードに復帰できるという効果がある。
【００２５】
また、本発明は、規制開始時刻の範囲を示す時間帯を複数設定する設定手段と、設定された複数時間帯の各々毎に、各時間帯で過去に実行された規制と規制からの復帰により学習して得られた復帰時間（規制継続時間）を記憶する記憶手段とを備え、規制モードを開始し、その開始時刻から時間帯を特定し、特定された時間帯に対応する復帰時間（規制継続時間）を取得し、取得された復帰時間（規制継続時間）の経過後に、電源オフ状態モードを含む規制モードから通常待ち受けモードに復帰するよう構成されているので、ユーザーによる煩わしい操作無しで、規制の開始時刻に応じた復帰時間（規制継続時間）の経過後に、規制モードから通常待ち受けモードに自動復帰できるという効果がある。
【００２６】
さらに、本発明は、規制モードの開始時刻から時間帯を特定し、特定された時間帯に固有の復帰時間（規制継続時間）の経過後に、電源オフ状態モードを含む規制モードから通常待ち受けモードに復帰するよう構成されているので、規制モードの開始時刻が、特定された時間帯内で変動しても、常に一定の復帰時間（規制継続時間）後に、規制モードから通常待ち受けモードに自動復帰できるという効果がある。
【発明を実施するための最良の形態】
【００２７】
次に、本発明の実施の形態について図面を参照して詳細に説明する。
【００２８】
図１は、本発明による第一の実施形態による携帯電話機の構成ブロック図で、図２は、第一の実施形態による規制モード時間記憶部の構成図ある。
【００２９】
図１を参照して、本発明の第一の実施形態による携帯電話機１０１は、アンテナ部１０２と、送受信部１０３と、制御部１０４と、音声画像入出力部１０５と、電源回路１０６と、キー入力部１０７と、時刻を計時する時計１０８と、タイマー１０９と、規制モード時間記憶部１１０とを有して構成される。
【００３０】
アンテナ部１０２は、無線基地局間と無線信号を送受信する。
【００３１】
送受信部１０３は、アンテナ部１０２で受信した無線信号を制御部１０４へ転送する、また、制御部１０４からの信号を無線信号に変換してアンテナ部１０２に送る。
【００３２】
音声画像入出力部１０５は、音声、もしくは文字や画像を出力するとともに、ユーザーからの音声を入力して、制御部１０４に送る。
【００３３】
制御部１０４は、携帯電話機１０１の全体を制御するとともに、発着信規制モードと通常待ち受けモード間のモード切り替え制御と、電源回路１０６の電源のオンオフ制御と、規制モード時間記憶部１１０の記憶制御を実行する。発着信規制モードは、携帯電話機１０１の発着信を規制するモードで、通常待ち受けモードは、携帯電話機１０１が発着信を待つモードである。
【００３４】
キー入力部１０７は、一般通話のための指令と、携帯電話１０１に発着信規制モードを開始させるための指令と、電源回路１０６の電源をオンまたはオフするための指令と、携帯電話機１０１が発着信規制モードの開始から通常待ち受けモードに復帰するまでの復帰時間の指定、または、電源オフの開始から電源オンに復帰するまでの復帰時間の指定を、ユーザーによるキー操作で入力するためのものである。
【００３５】
電源回路１０６は、携帯電話機１０１内に電源を供給するための回路で、制御部１０４からの指令で電源をオン、オフする機能を有する。
【００３６】
タイマー１０９は、復帰時間が設定され、時間を計測し、計測が完了して復帰時刻が到来するとき、携帯電話機１０１を通常待ち受けモードに復帰させるためのタイマーである。
【００３７】
規制モード時間記憶部１１０は、図２に示されるように、ユーザーが携帯電話機１０１を利用する環境毎に、規制時刻情報である規制開始時刻２０１と規制終了時刻２０２とを記憶する機能を有する。例えば、ユーザーが電車Ａに乗るとき，ユーザーがキー入力部１０７から発着信規制モードを開始させるための指令を入力すると、制御部１０４は、この指令を受けて、時計１０８を参照して、規制開始時刻２０１―１を規制モード時間記憶部１１０の当該エリアに記憶させる。また、タイマー１０９が、時間を計測し、復帰時刻の到来を認識すると、この旨を制御部１０４に通知し、制御部１０４は、携帯電話機１０１を通常待ち受けモードに復帰させ、そして、時計１０８を参照して、このときの時刻（以降、規制終了時刻２０２―１）取得し、この規制終了時刻２０２―１を規制モード時間記憶部１１０の当該エリアに記憶させる。
【００３８】
次に、本発明の第一の実施形態の動作について図面を参照して詳細に説明する。
【００３９】
図３は、第一の実施形態において、初回の発着信の規制と規制の解除のためのフローチャートで、図４は、第一の実施形態において、２回目以降の発着信の規制と規制の解除のためのフローチャートである。
【００４０】
図３と図４を主体に、図１と図２を併せ参照して動作を説明する。
【００４１】
ユーザーが、毎朝同じ時刻に、電車Ａに乗降するときを例にして、ユーザーが所有する携帯電話機１０１の動作を説明する。
【００４２】
まず、ユーザーが、この電車Ａに初めて乗降するとき、ユーザーからの２種類の仕方での入力に対しての携帯電話機１０１の動作の各々を説明する。
【００４３】
＜ユーザーから発着信規制モードへ移行する指令のみの入力があるとき＞
図３を参照して、ユーザーは、電車Ａに乗るとき、キー入力部１０７から、発着信規制モードを開始させるための指令を入力する（ステップＳ１００）。
【００４４】
キー入力部１０７は、この指令を制御部１０４に送る。
【００４５】
制御部１０４は、この指令を受けると、携帯電話機１０１を発着信規制モードに移行する（ステップＳ１１０）とともに、発着信規制モードへの移行開始時刻を時計１０８から取得し、取得された移行開始時刻を規制開始時刻２０１―１として規制モード時間記憶部１１０に記憶する（ステップＳ１２０）。
【００４６】
次に、電車Ａが、目的地に到着し、ユーザーが電車Ａから降りるとき、ユーザーは、キー入力部１０７から、発着信規制モードを解除する指令を入力する（ステップＳ１３０）。
【００４７】
キー入力部１０７は、この指令を制御部１０４に送る。
【００４８】
制御部１０４は、この指令を受けると、発着信規制モードを解除して、携帯電話機１０１を通常待ち受けモードに復帰させる（ステップＳ１９０）とともに、この通常待ち受けモードに復帰する復帰時刻を時計１０８から取得し、取得された復帰時刻を規制終了時刻２０２―１として規制モード時間記憶部１１０に記憶する（ステップＳ２００）。
【００４９】
＜ユーザーから発着信規制モードへ移行する指令とタイマーに設定される復帰時間の指定との入力があるとき＞
図３を参照して、ユーザーは、電車Ａに乗るとき、キー入力部１０７から、発着信規制モードを開始させるための指令を入力するとともに、携帯電話機１０１が発着信規制モードから通常待ち受けモードへ自動的に復帰するまでの復帰時間を予めキー入力部１０７を使って入力する（ステップＳ１４０）。
【００５０】
キー入力部１０７は、発着信規制モードを開始させるための指令と、復帰時間とを制御部１０４に送る。
【００５１】
制御部１０４は、キー入力部１０７から、発着信規制モードを開始させるための指令と、復帰時間を受け、この復帰時間をタイマー１０９に設定しタイマー１０９に時間の計測を開始させる（ステップＳ１７０）と同時に、携帯電話機１０１を発着信規制モードに遷移する（ステップＳ１５０）。
【００５２】
そして、制御部１０４は、携帯電話機１０１が発着信規制モードに遷移した時刻を時計１０８より取得し、取得された時刻を規制開始時刻２０１―１として規制モード時間記憶部１０９に記憶するよう制御する（ステップＳ１６０）。
【００５３】
次に、電車Ａが目的地に到着し、予め復帰時間が設定されているタイマー１０９が、計時を終了して（ステップＳ１８０）、復帰時刻の到来を認識すると、この旨を制御部１０４に通知する。
【００５４】
制御部１０４は、この通知を受けて、携帯電話機１０１を通常待ち受けモードに復帰させ（ステップＳ１９０）、そして、時計１０８を参照して、このときの時刻を取得し、取得された時刻を規制終了時刻２０２―１として規制モード時間記憶部１１０の記憶するよう制御する（ステップＳ２００）。
【００５５】
以上のように、ユーザーが電車Ａに初めて乗降するとき、携帯電話機１０１は、初回の発着信規制と規制解除を実行し、この実行により、規制開始時刻２０１−１と規制終了時刻２０２―１とを学習して取得し、これらの規制開始時刻２０１−１と規制終了時刻２０２―１とを規制モード時間記憶部１０９に保存しておく。
【００５６】
次の日、ユーザーは、前日と同じ時刻に、電車Ａに乗る。
【００５７】
図４を参照して、ユーザーは、電車Ａに乗るとき、キー入力部１０７から、発着信規制モードを開始させるための指令を入力する（ステップＳ２１０）。
【００５８】
キー入力部１０７は、この指令を制御部１０４に送る。
【００５９】
制御部１０４は、この指令を受けて、携帯電話機１０１を発着信規制モードに遷移する（ステップＳ２２０）ととともに、このときの時刻を時計１０８より取得し（ステップＳ２３０）、取得された時刻が、規制モード時間記憶部１０９に記憶されている規制開始時刻２０１−１と一致するかを調べる（ステップＳ２４０）。
【００６０】
調べた結果、取得された時刻が規制開始時刻２０１−１と一致するとき（ステップＳ２４０でハイ）、つまり、前日に同じ電車Ａを利用したときに記憶された規制開始時刻２０１―１が発見されるとき、制御部１０４は、この規制開始時刻２０１―１に対応する規制終了時刻２０２―１を規制モード時間記憶部１０９から取り出す（ステップＳ２５０）、そして、規制終了時刻２０２―１になるとき携帯電話機１０１が自動的に発着信規制モードから通常待ち受けモードに復帰するようにタイマー１０９を設定し、タイマー１０９に時間の計測を起動させる（ステップＳ２６０）。
【００６１】
タイマー１０９は、時間を計測し計時を終了して（ステップＳ２７０）、規制終了時刻２０２―１の到来を認識すると（このとき、電車Ａが目的地に到着する）、この旨を制御部１０４に通知し、制御部１０４は、この通知を受け、携帯電話機１０１を発着信規制モードから通常待ち受けモードに復帰するよう制御する（ステップＳ２８０）。
【００６２】
以上のように、携帯電話機１０１は、初回の発着信規制と規制解除により学習して得た規制開始時刻２０１―１と規制終了時刻２０２―１とを使用して、２回目以降の発着信規制と規制解除および通常待ち受けモードへの復帰を自動で実行する。
【００６３】
また、ユーザーは、毎昼同じ時刻に、バスＢを利用して移動し、毎夕同じ時刻に、電車Ｃを利用して帰宅しているとする。
【００６４】
この場合も上記の電車Ａに乗降するときと同様に、ユーザーが、初回の降車の時だけ、キー入力部１０７から、発着信規制モードから通常待ち受けモードへの復帰を指定することにより、もしくは、予めユーザーにより復帰時間が設定されたタイマーにより、携帯電話機１０１は、発着信規制モードから通常待ち受けモードへの復帰を行う。
【００６５】
このとき、規制モード時間記憶部１０９は、規制開始時刻２０１―２、２０１―３と規制終了時刻２０２―２、２０２―３を記憶保存しているので、ユーザの２回目以降の乗降のとき、携帯電話機１０１は、これらの規制開始時刻２０１―２、２０１―３と規制終了時刻２０２―２、２０２―３を使用して、前回の乗車の時と同じ時刻で、発着信規制モードへ遷移し、そして、ユーザーからのキー入力なしで、前回の降りる車の時と同じ時刻で、発着信規制モードから通常待ち受けモードに復帰する。
【００６６】
以上では、発着信規制制御と規制解除制御と待ち受け受けモード復帰制御の動作を開示したが、発着信規制と規制解除の制御の代わりに、携帯電話機１０１の電源のオンとオフを制御してもよい。この場合の動作を以下に示す。
【００６７】
＜ユーザーから電源をオフにする指令の入力があるとき＞
ユーザーは、電車Ａに乗るとき、キー入力部１０７から、電源をオフにするための指令を入力すると、キー入力部１０７は、この指令を制御部１０４に送る。
【００６８】
制御部１０４は、この指令を受けると、電源回路１０６の主電源をオフにするとともに、オフ時刻を時計１０８から取得し、取得されたオフ時刻を規制開始時刻２０１―１として規制モード時間記憶部１１０に記憶する。
【００６９】
次に、電車Ａが、目的地に到着し、ユーザーが電車Ａから降りるとき、ユーザーは、キー入力部１０７から、電源をオンにする指令を入力すると、キー入力部１０７は、この指令を制御部１０４に送る。
【００７０】
制御部１０４は、この指令を受けると、電源回路１０６の主電源をオンにし、携帯電話機１０１を通常待ち受けモードに復帰させるとともに、通常待ち受けモードに復帰する復帰時刻を時計１０８から取得し、取得された復帰時刻を規制終了時刻２０２―１として規制モード時間記憶部１１０に記憶する。
【００７１】
＜ユーザーから電源をオフにする指令とタイマーに設定される復帰時間の指定との入力があるとき＞
ユーザーは、電車Ａに乗るとき、キー入力部１０７から、電源オフから電源オンに復帰する復帰時間と電源をオフにするための指令を入力する
キー入力部１０７は、復帰時間と電源をオフにするための指令とを制御部１０４に送る。
【００７２】
制御部１０４は、キー入力部１０７から、復帰時間と電源をオフにするための指令とを受け、この復帰時間をタイマー１０９に設定しタイマー１０９に時間の計測を開始させると同時に、電源回路１０６の主電源をオフする。
【００７３】
そして、制御部１０４は、電源回路１０６の主電源がオフする時刻を時計１０８より取得し、取得された時刻を規制開始時刻２０１―１として規制モード時間記憶部１０９に記憶するよう制御する。
【００７４】
次に、電車Ａが目的地に到着し、予め復帰時間が設定されているタイマー１０９が、計時を終了して、復帰時刻の到来を認識すると、この旨を制御部１０４に通知する。
【００７５】
制御部１０４は、この通知を受けて、電源回路１０６の主電源をオンし、携帯電話機１０１を通常待ち受けモードに復帰させ、そして、時計１０８を参照して、このときの時刻を取得し、取得された時刻を規制終了時刻２０２―１として規制モード時間記憶部１１０の記憶するよう制御する。
【００７６】
次の日、ユーザーは、前日と同じ時刻に、電車Ａに乗る。
【００７７】
ユーザーは、電車Ａに乗るとき、キー入力部１０７から、電源をオフにするための指令を入力する。
【００７８】
キー入力部１０７は、この指令を制御部１０４に送り、制御部１０４は、この指令を受けて、電源回路１０６の主電源をオフにするととともに、主電源がオフする時刻を時計１０８より取得し、取得された時刻が、規制モード時間記憶部１０９に記憶されている規制開始時刻２０１−１と一致するかを調べる。
【００７９】
調べた結果、取得された時刻が規制開始時刻２０１−１と一致するとき、つまり、前日に同じ電車Ａを利用したときに記憶された規制開始時刻２０１―１が発見されるとき、制御部１０４は、この規制開始時刻２０１―１に対応する規制終了時刻２０２―１を規制モード時間記憶部１０９から取り出す、そして、規制終了時刻２０２―１をタイマー１０９に設定し、タイマー１０９を起動する。
【００８０】
タイマー１０９は、時間を計測し計時を終了して、規制終了時刻２０２―１の到来を認識すると（このとき、電車Ａが目的地に到着する）、この旨を制御部１０４に通知し、制御部１０４は、この通知を受け、電源回路１０６の主電源をオンにして、携帯電話機１０を通常待ち受けモードに復帰するよう制御する。
【００８１】
次に、本発明の第二の実施形態について説明する。
【００８２】
図５は、本発明による第二の実施形態による携帯電話機の構成ブロック図で、図６は、第二の実施形態による規制モード時間記憶部と時間帯記憶部の構成図で、図７は、時間帯と規制継続時間とを説明するための図である。
【００８３】
図５を参照して、本発明の第二の実施形態による携帯電話機３０１は、アンテナ部３０２と、送受信部３０３と、制御部３０４と、音声画像入出力部３０５と、電源回路３０６と、キー入力部３０７と、時計３０８と、タイマー３０９と、規制モード時間記憶部３１０と、時間帯記憶部３１１とを有して構成される。
【００８４】
アンテナ部３０２と、送受信部３０３と、制御部１３０４と、音声画像入出力部３０５と、電源回路３０６と、キー入力部３０７と、時計３０８と、タイマー３０９の各々は、第一の実施形態による携帯電話機１０１を構成するアンテナ部１０２と、送受信部１０３と、制御部１０４と、音声画像入出力部１０５と、電源回路１０６と、キー入力部１０７と、時計１０８と、タイマー１０９の各々と同じ機能を有する。
【００８５】
規制モード時間記憶部３１０は、第一の実施形態による規制モード時間記憶部１１０に若干の変更を加えて構成され、時間帯記憶部３１１は、第二の実施形態を構成するために新たに加えられたものである。
【００８６】
規制モード時間記憶部３１０は、図６に示されるように、規制開始時刻４０４と、規制終了時刻４０５と、規制継続時間４０６とを記憶する機能を有する。
【００８７】
規制開始時刻４０４と規制終了時刻４０５との各々は、第一の実施形態による規制モード時間記憶部１１０に記憶される規制開始時刻２０１と規制終了時刻２０２の各々と同じ情報である。
【００８８】
規制継続時間４０６は、発着信規制モードから通常待ち受けモードに復帰するまでの規制が継続する時間で、また、発着信規制モードから通常待ち受けモードに復帰する復帰時間でもある。
【００８９】
時間帯記憶部３１１は、図６に示されるように、ユーザーが携帯電話機１０１を利用する環境毎に、時間帯開始時刻４０２と時間帯終了時刻４０３とからなる時間帯４０１を記憶する機能を有する。
【００９０】
時間帯開始時刻４０２と時間帯終了時刻４０３の各々は、図７に示されるように、携帯電話機１０１が発着信規制モードに移行を開始する規制開始時刻の範囲示す時間帯の開始時刻と終了時刻の各々を示す情報である。時間帯開始時刻４０２と時間帯終了時刻４０３の各々は、ユーザーにより、予め、キー入力部３０７から入力され、時間帯記憶部３１１に時間帯情報４０１として予め記憶される。
【００９１】
次に、本発明の第二の実施形態の動作について図を参照して詳細に説明する。
【００９２】
図８は、第二の実施形態において、初回の発着信の規制と規制の解除のためのフローチャートで、図９は、第二の実施形態において、２回目以降の発着信の規制と規制の解除のためのフローチャートである。
【００９３】
図８と図９を主体に、図５と図６と図７を併せ参照して動作を説明する。
【００９４】
図７を参照して、ユーザーは、毎朝、時間帯ＪＡに電車路線ＬＡを利用して通勤し、毎昼、時間帯ＪＢにバス路線ＬＢを利用して移動し、そして、毎夕、時間帯ＪＣに電車路線ＬＣを利用して帰宅しているとする。
【００９５】
時間帯ＪＡ内においては、運転開始時刻の異なる電車Ａ−１、電車Ａ−２、電車Ａ−３が利用可能であるが、ユーザーがどの電車を利用するかは日によって異なる。同様に、時間帯ＪＢ内においては、運転開始時刻の異なるバスＢ−１、バスＢ−２、バスＢ−３が利用可能であるが、ユーザーがどの電車を利用するかは日によって異なる。また、同様に、時間帯ＪＣ内においては、運転開始時刻の異なる電車Ｃ−１、電車Ｃ−２、電車Ｃ−３が利用可能であるが、ユーザーがどの電車を利用するかは日によって異なる。
【００９６】
そこで、ユーザーは、予め、キー入力部３０７から、自分が電車路線ＬＡを利用する時間帯ＪＡの時間帯開始時刻４０２―１及び時間帯終了時刻４０３―１と、自分がバス路線ＬＢを利用する時間帯ＪＢの時間帯開始時刻４０２―２及び時間帯終了時刻４０３―２と、自分が電車路線ＬＣを利用する時間帯ＪＣの時間帯開始時刻４０２―３及び時間帯終了時刻４０３―３とを入力する。
【００９７】
キー入力部３０７は、入力された時間帯開始時刻４０２と時間帯終了時刻４０３を制御部３０４に送る。
【００９８】
制御部３０４は、時間帯毎に、時間帯開始時刻４０２と時間帯終了時刻４０３とを、時間帯記憶部３１１に記憶するよう制御する。
【００９９】
時間帯記憶部３１１は、図６に示されるように、時間帯ＪＡ（４０１―１）に対応する時間帯開始時刻４０２―１と時間帯終了時刻４０３―１と、時間帯ＪＢ（４０１―２）に対応する時間帯開始時刻４０２―２と時間帯終了時刻４０３―２と、時間帯ＪＣ（４０１―３）に対応する時間帯開始時刻４０２―３と時間帯終了時刻４０３―３とを記憶する。以上のように、時間帯記憶部３１１には、複数の時間帯の各々毎に、時間帯開始時刻と時間帯終了時刻とが、予め、記憶される。
【０１００】
次に、ユーザーが、携帯電話機３０１を携えて、電車に乗降するとき、ユーザーからの２種類の仕方での入力に対しての携帯電話機１０１の動作の各々を説明する。
【０１０１】
＜ユーザーから発着信規制モードへ移行する指令のみの入力があるとき＞
図７と図８を参照して、ユーザーが、初めて、電車路線ＬＡの、時間帯開始時刻４０２―１から時間帯終了時刻４０３―１の範囲の時間帯ＪＡ内で利用可能な電車Ａ−１に乗ると、ユーザーは、キー入力部３０７から、発着信規制モードを開始させるための指令を入力する（ステップＳ３００）。
【０１０２】
キー入力部３０７は、この指令を制御部３０４に送る。
【０１０３】
制御部３０４は、この指令を受けると、携帯電話機３０１を発着信規制モードに移行する（ステップＳ３１０）、そして、発着信規制モードへの移行開始時刻を時計３０８から取得し（ステップＳ３２０）、時間帯記憶部３１１を参照して、取得された移行開始時刻が、どの時間帯内に含まれているかを調べ、取得された移行開始時刻の時間帯を特定する（ステップＳ３３０）。ここでは、ユーザーが、電車Ａ−１に乗車して、発着信規制モードを開始させるための指令を入力したので、時間帯ＪＡが特定される。
【０１０４】
さらに、制御部１０４は、取得された移行開始時刻を、特定された時間帯ＪＡでの規制開始時刻４０４−１として、規制モード時間記憶部３１０に記憶するよう制御する。
【０１０５】
規制モード時間記憶部３１０は、図６に示されるように、取得された移行開始時刻を、時間帯ＪＡ（４０１―１）での規制開始時刻４０４−１として記憶する（ステップＳ３４０）。
【０１０６】
次に、電車Ａ−１が目的地に到着すると、ユーザーは、キー入力部３０７から、発着信規制モードを解除する指令を入力する（ステップＳ３５０）。
【０１０７】
キー入力部３０７は、この指令を制御部３０４に送る。
【０１０８】
制御部３０４は、この指令を受けると、携帯電話機３０１の発着信規制モードを解除して、携帯電話機３０１を通常待ち受けモードに復帰させる（ステップＳ４３０）。そして、制御部３０４は、通常待ち受けモードに復帰した復帰時刻を時計３０８より取得し、取得された復帰時刻を規制終了時刻４０５―１として規制モード時間記憶部３１０に記憶するよう制御する。また、制御部３０４は、既に記憶されている規制開始時刻４０４―１と規制終了時刻４０５―１との差分を取ることによって発着信規制モード開始から解除までの時間を算出し、この算出された時間を規制継続時間ＴＡ（４０６―１）として、時間帯ＪＡ（４０１―１）に対応付けて、規制モード時間記憶部３１０に記憶するよう制御する。
【０１０９】
規制モード時間記憶部３１０は、図６に示されるように、時間帯ＪＡ（４０１―１）と対応付けて、規制終了時刻４０５―１と規制継続時間ＴＡ（４０６―１）とを記憶する（ステップＳ４４０）。
【０１１０】
＜ユーザーから発着信規制モードへ移行する指令とタイマーに設定される復帰時間の指定との入力があるとき＞
図７と図８を参照して、ユーザーが、初めて、電車路線ＬＡの、時間帯開始時刻４０２―１から時間帯終了時刻４０３―１の範囲の時間帯ＪＡ内で利用可能な電車Ａ−１に乗ると、ユーザーは、キー入力部３０７から、発着信規制モードを開始させるための指令と、携帯電話機３０１が発着信規制モードから通常待ち受けモードへ自動的に復帰するまでの復帰時間とを入力する（ステップＳ３６０）。
【０１１１】
キー入力部３０７は、この指令と復帰時間を制御部３０４に送る。
【０１１２】
制御部３０４は、この指令を受けると、携帯電話機３０１を発着信規制モードに移行する（ステップＳ３７０）、そして、発着信規制モードへの移行開始時刻を時計３０８から取得し（ステップＳ３８０）、時間帯記憶部３１１を参照して、取得された移行開始時刻が、どの時間帯内に含まれているかを調べ、取得された移行開始時刻の時間帯を特定する（ステップＳ３９０）。ここでは、ユーザーが、電車Ａ−１に乗車して、発着信規制モードを開始させるための指令を入力したので、時間帯ＪＡが特定される。
【０１１３】
さらに、制御部１０４は、取得された移行開始時刻を、特定された時間帯ＪＡでの規制開始時刻４０４−１として、規制モード時間記憶部３１０に記憶するよう制御する。
【０１１４】
規制モード時間記憶部３１０は、図６に示されるように、取得された移行開始時刻を、時間帯ＪＡ（４０１―１）での規制開始時刻４０４−１として記憶する（ステップＳ４００）。
【０１１５】
さらに、制御部３０４は、キー入力部３０７から復帰時間を受け、この復帰時間をタイマー３０９に設定しタイマー３０９に時間の計測を開始させる（ステップＳ４１０）。
【０１１６】
次に、電車Ａ―１が目的地に到着し、予め復帰時間が設定されているタイマー３０９が、計時を終了して（ステップＳ４２０）、復帰時刻の到来を認識すると、この旨を制御部３０４に通知する。
【０１１７】
制御部３０４は、この通知を受けて、携帯電話機３０１を通常待ち受けモードに復帰させ（ステップＳ４３０）、そして、時計３０８を参照して、このときの時刻を取得し、取得された時刻を規制終了時刻４０５―１として、時間帯ＪＡ（４０１―１）と関連付けて、規制モード時間記憶部３１０に記憶するよう制御する。
【０１１８】
また、制御部３０４は、既に記憶されている規制開始時刻４０４―１と規制終了時刻４０５―１との差分を取ることによって発着信規制モード開始から解除までの時間を算出し、この算出された時間を規制継続時間ＴＡ（４０６―１）として、時間帯ＪＡ（４０１―１）と関連付けて、規制モード時間記憶部３１０に記憶するよう制御する。
【０１１９】
規制モード時間記憶部３１０は、図６に示されるように、時間帯ＪＡ（４０１―１）と関連付けて、規制終了時刻４０５―１と規制継続時間ＴＡ（４０６―１）とを記憶する（ステップＳ４４０）。
【０１２０】
以上のように、ユーザーの初めての乗降により、携帯電話機３０１は、初回の発着信規制と規制解除を実行し、この実行により、規制開始時刻４０４−１と規制終了時刻４０５―１と、規制継続時間４０６―１とを学習して取得し、これらの規制開始時刻４０４−１と、規制終了時刻４０５―１と、規制継続時間４０６―１とを規制モード時間記憶部１０９に保存しておく。
【０１２１】
さて、次の日、ユーザーは、電車路線ＬＡの、前日に乗車した電車Ａ−１とは違う電車Ａ−２に乗る。電車Ａ−２の発車時刻は、図７に示されるように、電車Ａ−１と同様、時間帯開始時刻４０２―１から時間帯終了時刻４０３―１の範囲内にある。
【０１２２】
図９を参照して、ユーザーは、電車Ａ−２に乗るとき、キー入力部３０７から、発着信規制モードを開始させるための指令を入力する（ステップＳ４５０）。
【０１２３】
キー入力部３０７は、この指令を制御部３０４に送る。
【０１２４】
制御部３０４は、この指令を受けると、携帯電話機３０１を発着信規制モードに移行させる（ステップＳ４６０）、そして、発着信規制モードへの移行を開始する移行開始時刻を時計３０８から取得し（ステップＳ４７０）、時間帯記憶部３１１を参照して、取得された移行開始時刻が、どの時間帯内に含まれているかを調べ、取得された移行開始時刻の時間帯を特定する（ステップＳ４８０）。ここでは、ユーザーが、電車Ａ−２に乗車して、発着信規制モードを開始させるための指令を入力したので、時間帯ＪＡ（４０１−１）が特定される。
【０１２５】
さらに、制御部３０４は、規制モード時間記憶部３１０から、特定された時間帯ＪＡ（４０１−１）に対応付けられた規制継続時間ＴＡ（４０６―１）を取得する（ステップＳ４９０）、そして、この規制継続時間ＴＡ（４０６―１）をタイマー３０９に設定し、タイマー３０９に時間の計測を開始させる（ステップＳ５００）。
【０１２６】
タイマー３０９は、時間を計測し計時を終了して（ステップＳ５１０）、規制継続時間ＴＡ（４０６―１）が経過すると（規制継続時間ＴＡが経過するときに、電車Ａ−２が目的地に到着する）、規制継続時間ＴＡ（４０６―１）が経過した旨の通知を制御部３０４に送る。
【０１２７】
制御部３０４は、この通知を受けて、携帯電話機３０１を、発着信規制モードから通常待ち受けモードに復帰させるよう制御する。
【０１２８】
携帯電話機３０１は、ユーザーからの操作なしで、発着信規制モードから通常待ち受けモードに復帰する（ステップＳ５２０）。
【０１２９】
また、ユーザーは、毎昼、バス路線ＬＢを利用して移動し、毎夕に、電車路線ＬＣを利用して帰宅する。
【０１３０】
ユーザーが、これらの交通機関を利用する時に、携帯電話機３０１は、初回だけ、ユーザー操作によって発着信規制モードから通常待ち受けモードへの復帰を実行し、そして、この実行により、規制開始時刻４０４−２、４０４−３と、規制終了時刻４０５−２、４０５−３と、規制継続時間ＴＢ（４０６−２）と規制継続時間ＴＣ（４０６−３）を学習して取得し、記憶する。
【０１３１】
ユーザーの２回目以降の乗車では、携帯電話機３０１は、前回の発着信規制と規制解除の実行により記憶されている規制継続時間ＴＢ（４０６−２）と規制継続時間ＴＣ（４０６−３）を使用して、ユーザーからの操作なしで、発着信規制モードから通常待ち受けモードに復帰する。
【０１３２】
以上では、携帯電話機３０１の発着信規制制御と規制解除制御と待ち受け受けモード復帰制御の動作を示したが、発着信規制と規制解除の制御の代わりに、携帯電話機３０１の電源のオフとオンを制御してもよい。
【図面の簡単な説明】
【０１３３】
【図１】本発明による第一の実施形態による携帯電話機の構成ブロック図である。
【図２】第一の実施形態による規制モード時間記憶部の構成図である。
【図３】第一の実施形態において、初回の発着信の規制と規制の解除のためのフローチャートである。
【図４】第一の実施形態において、２回目以降の発着信の規制と規制の解除のためのフローチャートである。
【図５】本発明による第二の実施形態による携帯電話機の構成ブロック図である。
【図６】第二の実施形態による規制モード時間記憶部と時間帯記憶部の構成図である。
【図７】時間帯と規制継続時間とを説明するための図である。
【図８】第二の実施形態において、初回の発着信の規制と規制の解除のためのフローチャートである。
【図９】第二の実施形態において、２回目以降の発着信の規制と規制の解除のためのフローチャートである。
【図１０】従来の携帯電話機の構成ブロック図である。
【符号の説明】
【０１３４】
１０１    携帯電話機
１０２    アンテナ部
１０３    送受信部
１０４    制御部
１０５    音声画像入出力部
１０６    電源回路
１０７    キー入力部
１０８    時計
１０９    タイマー
１１０    規制モード時間記憶部
３０１    携帯電話機
３０２    アンテナ部
３０３    送受信部
３０４    制御部
３０５    音声画像入出力部
３０６    電源回路
３０７    キー入力部
３０８    時計
３０９    タイマー
３１０    規制モード時間記憶部
３１１    時間帯記憶部
【図１】
2005210597.tif 000003
【図２】
2005210597.tif 000004
【図３】
2005210597.tif 000005
【図４】
2005210597.tif 000006
【図５】
2005210597.tif 000007
【図６】
2005210597.tif 000008
【図７】
2005210597.tif 000009
【図８】
2005210597.tif 000010
【図９】
2005210597.tif 000011
【図１０】
2005210597.tif 000012